(57)【要約】【課題】真空断熱材の表面の凹凸が基材に転写されることがなく、かつ、発泡系断熱材が均一に充填された断熱パネルを提供する。【解決手段】断熱パネル１は、真空断熱材３０と、発泡樹脂３１を発泡させてなる発泡系断熱材３２とを断面略凹状に形成された基材１０の凹所１５に収容してなり、真空断熱材３０と凹所１５の内底面１５ｂとの間に、凹所１５の幅方向の一方の端部より他方の端部に向かう線状のスペーサ材２０Ａ、・・・を基材１０の長手方向に沿って複数、並設し、それらのスペーサ材２０Ａ、・・・の周囲に発泡系断熱材３２を充填した構成とされる。【選択図】図１
2014134020.tif 000002
【特許請求の範囲】
【請求項１】
真空断熱材と、発泡樹脂を発泡させてなる発泡系断熱材とを断面略凹状に形成された基材の凹所に収容してなる断熱パネルにおいて、
前記真空断熱材と前記凹所の内底面との間に、前記凹所の幅方向の一方の端部より他方の端部に向かう線状のスペーサ材を前記基材の長手方向に沿って複数、並設し、それらのスペーサ材の周囲に前記発泡系断熱材を充填したことを特徴とする断熱パネル。
【請求項２】
請求項１において、
前記スペーサ材の各々は、中間部に、該スペーサ材に隣接する空間間を連通させる連通部を有している、断熱パネル。
【請求項３】
請求項２において、
前記スペーサ材の各々は、前記連通部を中心として２つのスペーサ片に分離された構成とされ、それら両スペーサ片の各々は、平面視において、前記連通部が前記基材の長手方向の一方側に突出するように斜めに設置されている、断熱パネル。
【請求項４】
請求項１〜３のいずれか１項において、
前記凹所の開口を塞ぐ蓋材をさらに有した構成とされており、
前記凹所内に配設された前記真空断熱材と、前記蓋材との間に、前記凹所の幅方向の一方の端部より他方の端部に向かう線状のさらなるスペーサ材を前記基材の長手方向に沿って複数、並設し、それらのスペーサ材の周囲に前記発泡系断熱材を充填した、断熱パネル。
【請求項５】
真空断熱材と、発泡樹脂を発泡させてなる発泡系断熱材とを断面略凹状に形成された基材の凹所に収容してなる断熱パネルの製造方法において、
前記基材の前記凹所の内底面に、前記凹所の幅方向の一方の端部より他方の端部に向かう線状のスペーサ材を前記基材の長手方向に複数、並設するスペーサ材並設工程と、
前記基材の前記凹所内に、前記真空断熱材を設置する真空断熱材設置工程と、
前記基材の前記凹所内の空隙部位に前記発泡樹脂を注入する注入工程と、
前記凹所内に注入された前記発泡樹脂を発泡・成形させる発泡工程とを実行することを特徴とする断熱パネルの製造方法。
【発明の詳細な説明】
【技術分野】
【０００１】
本発明は、真空断熱材と、発泡系断熱材とを断面略凹状に形成された基材の凹所に収容してなる断熱パネルおよびその製造方法に関する。
【背景技術】
【０００２】
従来、真空断熱材を、断熱パネルの表面材を構成する基材によって形成された凹所の内底面に配し、その真空断熱材の周囲に発泡系断熱材を収容してなる断熱パネルが知られている（たとえば、特許文献１参照）。
【先行技術文献】
【特許文献】
【０００３】
【特許文献１】特開２００８−９５４６４号公報
【発明の概要】
【発明が解決しようとする課題】
【０００４】
ところが、断熱パネルの製造過程において、真空断熱材を基材の凹所の内底面に設置した状態で発泡樹脂を発泡させると、その発泡圧で真空断熱材が内底面側に押圧され、真空断熱材の表面の凹凸が基材に転写され、基材の表面部に凹凸が生じるおそれがある。また、真空断熱材が凹所の内底面に直接接触していると、製品となった後にも、基材の表面に真空断熱材の凹凸が表われるおそれもある。
【０００５】
このような問題に対する対応策として、真空断熱材の幅方向の両端部の下方に長手方向に沿った線状の脚（スペーサ材）を設けることが想定できる。そのようにすれば、真空断熱材を凹所の内底面に直接接触することがなくなるため、基材の表面に凹凸が生じるおそれはない。
【０００６】
しかしながら、長手方向に線状の脚を設けた場合、製造過程（発泡樹脂の注入工程）において、注入された発泡樹脂が真空断熱材の下方の２本の脚で囲まれた中間部に行き渡りにくいという問題が発生する。したがって、このような方法では発泡系断熱材が不均一な状態の断熱パネルが製造されることとなる。
【０００７】
また、真空断熱材の下方に点状の脚を設けることも考えられるが、そのようにすれば、真空断熱材は強度が低いため折れ曲がったり傷んだりする可能性がある。
【０００８】
本発明は、このような事情を考慮して提案されたもので、その目的は、真空断熱材の表面の凹凸が基材に転写されることがなく、かつ、発泡系断熱材が均一に充填された断熱パネルを提供することにある。また、そのような断熱パネルを効率的に生産できる断熱パネルの製造方法を提供することも目的とされる。
【課題を解決するための手段】
【０００９】
上記目的を達成するために、本発明の断熱パネルは、真空断熱材と、発泡樹脂を発泡させてなる発泡系断熱材とを断面略凹状に形成された基材の凹所に収容してなる断熱パネルにおいて、真空断熱材と凹所の内底面との間に、凹所の幅方向の一方の端部より他方の端部に向かう線状のスペーサ材を基材の長手方向に沿って複数、並設し、それらのスペーサ材の周囲に発泡系断熱材を充填したことを特徴とする。
【００１０】
また、本発明においては、スペーサ材の各々は、その中間部に、スペーサ材に隣接する空間間を連通させる連通部を有したものとしてもよい。
【００１１】
さらに、本発明においては、スペーサ材の各々は、連通部を中心として２つのスペーサ片に分離された構成とされ、それら両スペーサ片の各々は、平面視において、連通部が前記基材の長手方向の一方側に突出するように斜めに設置されるものとしてもよい。
【００１２】
またさらに、本発明においては、凹所の開口を塞ぐ蓋材をさらに有した構成としてもよく、凹所内に配設された真空断熱材と、蓋材との間に、凹所の幅方向の一方の端部より他方の端部に向かう線状のさらなるスペーサ材を基材の長手方向に沿って複数、並設し、それらのスペーサ材の周囲に発泡系断熱材を充填した構成としたものとしてもよい。
【００１３】
また、本発明の断熱パネルの製造方法は、真空断熱材と、発泡樹脂を発泡させてなる発泡系断熱材とを断面略凹状に形成された基材の凹所に収容してなる断熱パネルの製造方法において、基材の凹所の内底面に、凹所の幅方向の一方の端部より他方の端部に向かう線状のスペーサ材を基材の長手方向に複数、並設するスペーサ材並設工程と、基材の凹所内に、真空断熱材を設置する真空断熱材設置工程と、基材の凹所内の空隙部位に発泡樹脂を注入する注入工程と、凹所内に注入された発泡樹脂を発泡・成形させる発泡工程とを実行することを特徴とする。
【発明の効果】
【００１４】
本発明に係る断熱パネルによれば、上述の構成としているため、内装された真空断熱材の表面の凹凸が基材に転写されることを防止できる。また、上述の構成によれば、真空断熱材の設置位置にずれや傾きがない、つまり安定した断熱性を有した断熱パネルを提供できる。
【００１５】
また、本発明に係る断熱パネルの製造方法によれば、真空断熱材の表面の凹凸が基材に転写されず、かつ、真空断熱材の設置位置にずれや傾きがない、形状面、性能面において安定した断熱パネルを効率的に生産することができる。
【図面の簡単な説明】
【００１６】
【図１】本発明の一実施形態に係る断熱パネルの説明図であり、（ａ）は断熱パネルの概略縦断面図、（ｂ）は（ａ）のＡ−Ａ線に対応した断熱パネルの概略横断面図である。
【図２】図１に示した断熱パネルの製造過程を示した模式的横断面図である。
【図３】本発明の他の２実施形態に係る断熱パネルの説明図であり、（ａ）は断熱パネルの概略縦断面図（共通）、（ｂ）、（ｃ）は、（ａ）のＢ−Ｂ線に対応した、２実施形態に係る断熱パネルの概略横断面図である。
【図４】（ａ）、（ｂ）は、図３（ｂ）、（ｃ）に示した２種の断熱パネルの製造過程を示した模式的横断面図である。
【図５】図３（ｂ）に示した断熱パネルの製造方法（前半工程）の概略説明図であり、（ａ）〜（ｃ）は断熱パネルの製造過程における概略縦断面図である。
【図６】同製造方法（後半工程）の概略説明図であり、（ａ）、（ｂ）は断熱パネルの製造過程における概略縦断面図、（ｃ）は断熱パネルの概略縦断面図である。
【発明を実施するための形態】
【００１７】
以下に、本発明の実施の形態について、添付図面を参照しながら説明する。
【００１８】
まず、第１の実施形態について、図１および図２を参照しながら説明する。この断熱パネル１は、壁パネルや床パネル、天井パネルなどに用いられる建材用の断熱パネルとして使用される。このような断熱パネル１は、壁下地や床下地、天井下地などの施工対象に裏面側を固着させて施工される。
【００１９】
この断熱パネル１の幅寸法や長さ寸法は、断熱パネル１が用いられる対象等に応じて適宜、設定するようにすればよい。たとえば、断熱パネル１を、内装建材として用いる場合には、幅寸法を３００ｍｍ〜９００ｍｍ程度、長さ寸法を９００ｍｍ〜２４００ｍｍ程度とすればよい。
【００２０】
また、この断熱パネル１の厚さ寸法は、断熱パネル１が用いられる対象や、必要とされる断熱性等に応じて適宜、設定するようにすればよい。たとえば、断熱パネル１を内装建材として用いる場合には、基材１０の厚さ（高さ）寸法を１０ｍｍ〜３０ｍｍ程度、蓋材２８（裏面材）の厚さ寸法を０．０１ｍｍ〜１ｍｍ程度とすればよい。
【００２１】
本断熱パネル１の枠材とされる基材１０は、たとえば鋼板よりなる金属板（不図示）の表裏を樹脂層（不図示）で被覆した板材を折曲形成してなる。なお、鋼板として、亜鉛めっき鋼板や塗装鋼板、錫めっき鋼板などが使用されてもよい。また、金属板としては鋼板に限らず、他の金属を用いてもよい。
【００２２】
金属板（不図示）の表裏に樹脂層（不図示）を被覆してなる板材の厚さは、軽量化を図るため最大でも１ｍｍ程度とすることが望ましい。
【００２３】
樹脂層（不図示）を構成する合成樹脂は、熱可塑性樹脂であってもよいし、熱硬化性樹脂であってもよい。また、合成樹脂としては、塩化ビニルに限らず、他の合成樹脂が用いられるものとしてもよい。
【００２４】
このように、金属板（不図示）の表裏に樹脂層（不図示）を設けて基材１０を形成することで、錆の発生を防止できる。なお、基材１０は、上記のような金属板（不図示）と樹脂層（不図示）による層構造でなくてもよく、その材料についても特に限定されず、種々の材料を使用して製されてもよい。
【００２５】
この基材１０は、略平板状とされる表面部１１と、側端縁部１２ａ、１２ａおよび裏側縁片部１２ｂ、１２ｂよりなる側部１２、１２とを有して断面略凹状とされる（図１（ａ）参照）。
【００２６】
側端縁部１２ａは、表面部１１の幅方向の両端より断熱パネル１の厚さ方向に立ち上がり形成されている。裏側縁片部１２ｂは、側端縁部１２ａの裏面側（図１（ａ）における上端側）の両端より相互に向き合い、開口１５ａの幅を狭めるように突出形成されている。このように、基材１０には、断熱パネル１の裏面側が開口され、表面部１１の裏側の面を内底面１５ｂとした凹所１５が形成されている。
【００２７】
図１（ａ）に示すように、断熱パネル１の基材１０の凹所１５内には、内底面１５ｂ側より、スペーサ材２０Ａ、真空断熱材３０、スペーサ材２０Ｂが順に配設されている。つまり、真空断熱材３０は、上下のスペーサ材２０Ｂ、２０Ａ間に挟まれるように凹所１５内に配設されている。
【００２８】
この真空断熱材３０としては、芯材をガスバリア性の包装材で外装して真空吸引することにより形成されたものとしてもよい。芯材としては、熱伝導率の比較的に低い材料を用いた連続気泡のウレタンフォームやスチレンフォーム、フェノールフォーム等の発泡体からなるものとしてもよい。または、芯材としては、各種フォーム材を粉砕したものやシリカ、アルミナ、パーライト等の粉粒体からなるものとしてもよく、グラスファイバー、グラスウール、ロックウール、セルロースファイバー等の繊維体からなるものとしてもよい。さらには、上記した各種の発泡体や粉粒体、繊維体を混合して芯材として用いるようにしてもよい。包装材としては、ガスバリア性のある金属フィルム等としてもよい。または、外層側に樹脂フィルム等の保護層、中間に金属フィルムや金属蒸着層等のガスバリア層、内層側（芯材側）に熱溶着性を有した樹脂フィルム等の熱溶着層を有した積層フィルム（シート）を包装材として用いるようにしてもよい。
【００２９】
真空断熱材３０の下側の凹所１５の内底面１５ｂとの間には、図１（ｂ）に示すように、複数の線状のスペーサ材２０Ａ・・・が平行に真空断熱材３０の長手方向に沿って並設してある。個々のスペーサ材２０Ａ、・・・は、凹所１５内の幅方向の一方の端部（側部１２）より他方の端部（側部１２）に向かうように延びている。この実施形態のスペーサ材２０Ａは、矩形の断熱パネル１の長手方向の両端部の端縁辺に平行に等間隔に配設されている。
【００３０】
スペーサ材２０Ａ、２０Ａの間隔は特段の定めはないが、後述する断熱パネル１の製造過程における搬送スピードや発泡樹脂３１（図２参照）の単位時間当たりの注入量などによって決定される。
【００３１】
真空断熱材３０の上側についても下側のスペーサ材２０Ａ、２０Ａ、・・・と同様であり、複数の線状のスペーサ材２０Ｂが図１（ｂ）と同様に配設されている。
【００３２】
真空断熱材３０が上下のスペーサ材２０Ｂ、２０Ａで挟まれた状態でのそれら全体の高さ寸法は、基材１０の凹所１５の深さ寸法（内底面１５ｂから蓋材２８の裏側までの寸法）とほぼ同じか、それよりもやや小さくすることが望ましい。
【００３３】
このようなスペーサ材２０Ａ、２０Ｂは、厚みが０．５ｍｍ〜数ｍｍ程度のボール紙などで製することが望ましい。スペーサ材２０Ａ、２０Ｂは他の材料で製されてもよいが、断熱パネル１に内装するものであるため、熱橋とならないように、熱伝導率の低い材料を用いることが望ましく、厚みも薄いものがよい。
【００３４】
また、断熱パネル１の基材１０の凹所１５内にはさらに、真空断熱材３０と複数のスペーサ材２０Ａ、・・・２０Ｂ、・・・を除く部位に、真空断熱材３０を取り囲むように発泡系断熱材３２が充填されている。なお、図１（ａ）の概略縦断面図では、要部を見やすくするために、充填された発泡系断熱材３２のハッチングを省略した。
【００３５】
この発泡系断熱材３２としては、ウレタン樹脂やポリスチレン樹脂、ポリエチレン樹脂、フェノール樹脂等の合成樹脂に、発泡剤や、必要に応じて硬化剤や難燃剤などを含有させた発泡樹脂３１を発泡させてなるものが挙げられる。発泡樹脂３１としては、発泡ゴム系材料や、炭酸カルシウム等を原料とする無機質系発泡材料を用いてもよい。本実施形態では、発泡樹脂３１として硬質発泡ウレタンが用いられている。硬質発泡ウレタンとしては、難燃性にすぐれた硬質イソシアヌレートフォームを用いることが望ましい。
【００３６】
また、基材１０には、凹所１５の開口１５ａを塞ぐように蓋材２８が取り付けられている。なお、断熱パネル１はこのような蓋材２８を含まない構成としてもよい。
【００３７】
以上のように、断熱パネル１には真空断熱材３０の上下にそれぞれ複数のスペーサ材２０Ａ、・・・２０Ｂ、・・・が配設されているので、真空断熱材３０は上下のスペーサ材２０Ａ、・・・２０Ｂ、・・・によって厚さ方向における配設位置が保持される。したがって、同種のスペーサ材２０Ａ、・・・２０Ｂ、・・・を用いて製造した断熱パネル１では、均一な断熱性能が得られる。
【００３８】
また、スペーサ材２０Ａ、２０Ｂは基材１０の側部１２、１２間に架け渡すように配され、長手方向に沿って複数、並設してあるので、製造過程においても、製造後においても真空断熱材３０が幅方向の中央や長手方向の中央で折れ曲がるというおそれはない。
【００３９】
またさらに、下側のスペーサ材２０Ａ、・・・は真空断熱材３０を発泡系断熱材３２中に浮かせた状態に保持する脚の代わりとなり得るので、真空断熱材３０の表面の凹凸が基材１０の表面部１１に転写されることを防止でき、形状面の安定化も図ることができる。同様に、上側のスペーサ材２０Ｂ、・・・についても、真空断熱材３０の表面の凹凸が蓋材２８に転写されることを防止できる。
【００４０】
なお、スペーサ材２０Ａ、・・・２０Ｂ、・・・には、真空断熱材３０の位置決め用の段部を設けてもよい。これにより真空断熱材３０を基材１０の幅方向の中央に保持することができる。
【００４１】
このような断熱パネル１は、基材１０を搬送させながら製造することができる。なお、具体的な製造方法については、図５、図６をもとに後述する。図２は、その製造ラインにおける断熱パネル１の製造過程、特に発泡樹脂３１の凹所１５内へ注入する工程の一状態を模式的に表わした概略横断面図である。この図を参照しながら、製造過程におけるスペーサ材２０Ａ、２０Ｂによる作用、効果について説明する。
【００４２】
図２中の左右両端の縦線は基材１０の長手両辺縁を表わし、複数の横線はスペーサ材２０Ａ、・・・を表わし、縦方向の太線矢印は基材１０の搬送方向を表わしている。また、図２中の２点鎖線は真空断熱材３０の長手両辺縁を表わしている。発泡樹脂３１は、平面視（横断面視）において、真空断熱材３０の長手両辺縁位置よりも外側でかつ基材１０の側部１２よりも内側の部位の上方２箇所より注入されるものとする。なお、図２においてクロスハッチングで示した部位は発泡樹脂３１の流れ込んでいる状態を示している。また、図２中の３１ａは、２箇所から注入された発泡樹脂３１が合流するウェルドライン（ウェルド部）を示す。
【００４３】
図２は、真空断熱材３０の下方空間への発泡樹脂３１の流入状態を示した図であり、発泡樹脂３１が上流側（基材１０の後端側、図中の下方側）のブロック空間２５にいまだ注入されていないことを示している。
【００４４】
凹所１５内に発泡樹脂３１が注入されると、その発泡樹脂３１は真空断熱材３０の下方のスペーサ材２０Ａ、・・・の周囲の空隙部位に入り込んでくる。基材１０の内底面１５ｂにはスペーサ材２０Ａ、・・・が並設されているので、それらの上に真空断熱材３０が載せられた状態であっても、図２に示すように、発泡樹脂３１はおもにスペーサ材２０Ａで区切られたブロック空間２５内で流動する。ブロック空間２５内では、両端２箇所から発泡樹脂３１が流れ込み中央で合流する。また、基材１０が搬送されながら発泡樹脂３１が注入されるので、単位時間当たりの注入量が一定であれば、発泡樹脂３１はすべてのブロック空間２５に均等に注入される。
【００４５】
下側のスペーサ材２０Ａ、２０Ａ間のブロック空間２５では、注入された発泡樹脂３１が両側部１２、１２側から中央部へと徐々に流れ、ブロック空間２５全体に行き渡っていく。図２に示すように、下流側のブロック空間２５から順次、発泡樹脂３１の注入タイミングのずれにしたがって遅れながら、そのブロック空間２５全体に発泡樹脂３１が充填されていく。
【００４６】
このように、真空断熱材３０の下側の空間がスペーサ材２０Ａ、・・・で区切られていても、スペーサ材２０Ａが幅方向の一方の端部より他方の端部に向かう線状のものであるため、発泡樹脂３１はブロック空間２５内でスムーズに流動していく。したがって、それぞれのブロック空間２５ごとに発泡樹脂３１が充填されていくので、基材１０の凹所１５全体にも確実に充填されていく。特に、発泡樹脂３１を基材１０の幅方向の両側２箇所より注入する構成となっているので、基材１０の凹所１５での発泡樹脂３１の流動は早められる。
【００４７】
ついで、本発明に係る断熱パネルの他の２実施形態について、図３および図４を参照しながら説明する。図３、図４において、図３（ａ）は第２、第３の実施形態に係る断熱パネルの共通の概略縦断面図、図３（ｂ）は第２の実施形態に係る断熱パネルの概略横断面図であり、図３（ｃ）は第３の実施形態に係る断熱パネルの概略横断面図である。なお、図３（ｂ）、（ｃ）の概略横断面図はいずれも図３（ａ）のＢ−Ｂ線に対応している。また、図４（ａ）は第２の実施形態に係る断熱パネルの製造過程を示した模式的横断面図であり、図４（ｂ）は第３の実施形態に係る断熱パネルの製造過程を示した模式的横断面図である。
【００４８】
これらの実施形態に係る断熱パネル１において、基材１０の形状、構造ならびに真空断熱材３０および発泡系断熱材３２（発泡樹脂３１）については、図１に示したものと同様のものを用いているので、図面に同一の符号を付して、それらの説明は省略する。
【００４９】
これらの実施形態に係る断熱パネル１には、図３（ａ）に示すように、上下のスペーサ材２０Ｂ、２０Ａが用いられている。これらのスペーサ材２０Ａ、２０Ｂは、幅方向の中間部に連通部２２が設けられている。これらの実施形態の例では、連通部２２はスペーサ材２０Ａ、２０Ｂのそれぞれを２つに分離することで形成されており、よってスペーサ材２０Ａ、２０Ｂは、それぞれ２つのスペーサ片２１、２１よりなる。なお、連通部２２は１つの連続したスペーサ材２０Ａ、２０Ｂの中央部に設けた開口によって形成されたものとしてもよい。
【００５０】
図３（ｂ）の断熱パネル１に用いられるスペーサ材２０Ａ、・・・は、凹所１５内の幅方向の一方の端部（側部１２）より他方の端部（側部１２）に向かうように延びている。スペーサ材２０Ａは連通部２２によって中間部で２つのスペーサ片２１、２１に分断されている。１つのスペーサ材２０Ａを構成する２つのスペーサ片２１、２１は、矩形の断熱パネル１の長手方向の両端部の端縁辺に平行に等間隔に配設されている。また、２つのスペーサ片２１、２１は同一直線上に配されている。
【００５１】
一方、図３（ｃ）の断熱パネル１に用いられるスペーサ材２０Ａは、凹所１５内の幅方向の一方の端部（側部１２）より他方の端部（側部１２）に向かうように延びている。スペーサ材２０Ａは連通部２２によって中間部で２つのスペーサ片２１、２１に分断されている点では図３（ｂ）のものと同様である。ただし、図３（ｃ）では、平面視（横断面視）において、連通部２２が基材１０の長手方向の一方側（後端側、製造ラインにおける上流側）に突出して配置されるように、スペーサ材２０Ａは斜めに設置されている。つまり、スペーサ材２０Ａを構成する２つのスペーサ片２１、２１は同一直線上にはなく、図例では連通部２２を中心として概ね左右対称位置に斜めに配されている。
【００５２】
図３（ｂ）、（ｃ）に示した２種のスペーサ材２０Ａ、・・・について、それぞれのスペーサ材２０Ａ、２０Ａ間の間隔に特段の定めはないが、後述する断熱パネル１の製造過程における搬送スピードや発泡樹脂３１の単位時間当たりの注入量などによって決定される。また、連通部２２の寸法も同様に、搬送スピードや発泡樹脂３１の単位時間当たりの注入量などによって決定される。
【００５３】
真空断熱材３０の上側についても下側のスペーサ材２０Ａと同様であり、複数の線状のスペーサ材２０Ｂが図３（ｂ）、（ｃ）と同様に配設されている。
【００５４】
真空断熱材３０が上下のスペーサ材２０Ｂ、２０Ａで挟まれた状態でのそれら全体の高さ寸法は、基材１０の凹所１５の深さ寸法（内底面１５ｂから蓋材２８の裏側までの寸法）とほぼ同じか、それよりも小さくすることが望ましい。
【００５５】
このような図３（ｂ）、（ｃ）に示した２種のスペーサ材２０Ａ、２０Ｂ、２０Ａ、２０Ｂは、真空断熱材３０を厚さ方向の所定位置に保持するように作用するため、図１に示した断熱パネル１と同様の効果が得られる。
【００５６】
すなわち、真空断熱材３０は上下のスペーサ材２０Ｂ、２０Ａで厚さ方向における配設位置が保持される。したがって、同一のスペーサ材２０Ａ、２０Ｂを用いて製造した断熱パネル１は、均一な断熱性能が得られる。
【００５７】
また、スペーサ材２０Ａ、２０Ｂは、連通部２２を中間部に配した状態で、基材１０の側部１２、１２間に架け渡すように配され、長手方向に沿って複数、並設してあるので、製造過程においても、製造後においても真空断熱材３０が折れ曲がるおそれはない。
【００５８】
またさらに、下側のスペーサ材２０Ａ、２０Ａ、・・・は真空断熱材３０を浮かせた状態に保持する脚の代わりとなり得るので、真空断熱材３０の表面の凹凸が基材１０の表面部１１に転写されることを防止でき、形状面の安定化も図ることができる。同様に、上側のスペーサ材２０Ｂ、２０Ｂ、・・・についても、真空断熱材３０の表面の凹凸が蓋材２８に転写されることを防止できる。
【００５９】
つぎに、これら２種のスペーサ材２０Ａ、２０Ｂによる作用、効果について、図４（ａ）、（ｂ）を参照しながら説明する。なお、図４（ａ）、（ｂ）の各線、各部および矢印は、図２のものと同様であり、その説明は省略する。
【００６０】
発泡樹脂３１は、平面視において、真空断熱材３０の長手両辺縁位置よりも外側でかつ基材１０の側部１２よりも内側の部位の上方２箇所より注入されるものとする。
【００６１】
図４（ａ）、（ｂ）は、真空断熱材３０の下方空間への発泡樹脂３１の流入状態を示した図であり、発泡樹脂３１が上流側（基材１０の後端側）のブロック空間２５にいまだ注入されていないことを示している。
【００６２】
凹所１５内に発泡樹脂３１が注入されると、その発泡樹脂３１は真空断熱材３０の下方のスペーサ材２０Ａ、・・・の周囲の空隙部位に入り込んでくる。基材１０の内底面１５ｂにはスペーサ材２０Ａ、・・・が並設されているので、それらの上に真空断熱材３０が載せられた状態であっても、注入された発泡樹脂３１はおもにスペーサ材２０Ａで区切られたブロック空間２５内で流動する。また、基材１０が搬送されながら発泡樹脂３１が注入されるので、単位時間当たりの注入量が一定であれば、発泡樹脂３１はすべてのブロック空間２５に均等に注入される。
【００６３】
これらのスペーサ材２０Ａ、・・・は連通部２２を有しているため、注入された発泡樹脂３１は連通部２２を通じて、他のブロック空間２５へも流動していく。図４（ａ）と図４（ｂ）とを比較すると、図４（ｂ）のスペーサ材２０Ａは連通部２２が平面視で上流側に突出した位置に形成されているため、発泡樹脂３１の流動が早く、発泡樹脂３１は図４（ａ）のものよりも早く全体に行き渡る。また、図４（ｂ）のほうが、凹所１５内の空気の追い出しをすばやくに行える。
【００６４】
以上のように、真空断熱材３０の下側の空間がスペーサ材２０Ａ、・・・で区切られていても、スペーサ材２０Ａは幅方向の一方の端部より他方の端部に向かう線状のものであるため、発泡樹脂３１はブロック空間２５内でスムーズに流動していく。したがって、それぞれのブロック空間２５ごとに発泡樹脂３１が充填されていくので、基材１０の凹所１５全体にも確実に充填されていく。さらに、連通部２２を設けることで発泡樹脂３１が凹所１５内で流動しやすいようにしているため、効率のよい断熱パネル１の生産が行える。また、発泡樹脂３１を基材１０の幅方向の両側２箇所より注入する構成となっているので、発泡樹脂３１の流動は早められる。
【００６５】
また、連通部２２によって発泡樹脂３１が流動しやすくなるように構成されているため、ウェルド部３１ａにおいて空気が逃げ場を失う可能性は低くなり、空気を追い出しやすく、気泡が形成されにくくなる。よって、気泡による断熱性の低下を避けられる。
【００６６】
ついで、以上に説明した３種の断熱パネル１の製造方法について、図５、図６を参照しながら説明する。なお、これらの図では、第２の実施形態（図３（ｂ））として示した断熱パネルについての製造方法を例示した。
【００６７】
この断熱パネル１の製造方法としては、長尺状の基材を搬送装置（不図示）で搬送させながら、種々の工程を連続的に実行することで断熱パネル１を成形する製造方法など種々の製造方法を想定できるが、以下では製造装置を特定せずに概念のみを例示、説明する。
【００６８】
この断熱パネル１の製造方法は、下側スペーサ材並設工程、真空断熱材配置工程、上側スペーサ材並設工程、発泡樹脂３１を注入する注入工程、蓋材２８を開口１５ａに取り付ける蓋材配設工程、発泡樹脂３１を発泡・成形させる発泡工程を順次実行してなる。
【００６９】
なお、下側スペーサ材並設工程および上側スペーサ材並設工程は、搬送しながら実施しなくてもよい。特に、下側スペーサ材並設工程は事前に実施してもよく、基材１０と下側のスペーサ材２０Ａ、・・・とを一体成形したものを用いて断熱パネル１を製造するようにしてもよい。
【００７０】
まず、真空断熱材３０の下に配するスペーサ材２０Ａ、２０Ａ、・・・を、基材１０の凹所１５の内底面１５ｂに並設する（図５（ａ）参照）。上述したように、下のスペーサ材２０Ａは２つのスペーサ片２１、２１よりなるため、それらを個別に固定していけばよい。
【００７１】
つぎに、真空断熱材３０を複数のスペーサ材２０Ａ、・・・の上に載せ置く（図５（ｂ）参照）。真空断熱材３０は、その幅方向の中央が連通部２２の上方に配せられるように設置すればよい。真空断熱材３０が幅方向の中央に設置できるように、それぞれのスペーサ片に段部を設けて、真空断熱材が位置決めできるようにしてもよい。
【００７２】
そしてつぎに、その真空断熱材３０の上に上側のスペーサ材２０Ｂ、・・・を設置していく（図５（ｃ）参照）。
【００７３】
本図例の場合、真空断熱材３０を２種のスペーサ材２０Ａ、２０Ｂで挟み込んだ状態での高さ寸法が、基材１０の凹所１５の深さ寸法（内底面１５ｂから蓋材２８の裏面までの高さ寸法）とほぼ一致しているので、真空断熱材３０は上下方向において位置がほぼ固定される。
【００７４】
つぎに、基材１０の凹所１５内に発泡樹脂３１を注入する（図６（ａ）参照）。なお、図６（ａ）における符号５は、発泡樹脂３１をノズル５ａより下方に向けて注入する発泡樹脂注入機である。
【００７５】
製造過程では、凹所１５内にはブロック空間２５（図３（ｂ）および図４（ａ）参照）が形成されているので、発泡樹脂３１はおもにブロック空間２５単位で充填されていく。そして、スペーサ材２０Ａ、２０Ｂは幅方向の中央部に連通部２２を有しているので、注入された発泡樹脂３１が、連通部２２を通じて、他のブロック空間２５にも行き渡る（図６（ａ）参照）。
【００７６】
発泡樹脂３１を注入した後、蓋材２８を凹所１５の開口１５ａを塞ぐように貼り付ける（図６（ｂ）参照）。その状態で、図６（ｂ）の白抜き矢印で示すように、基材１０の上下より押圧しながら加熱して、発泡樹脂３１を発泡・膨張・硬化（成形）させる。たとえば、押圧装置（不図示）で基材１０を上下より押圧することで加熱させながら、蓋材２８を基材１０に固着させるようにしてもよい。
【００７７】
このとき、真空断熱材３０に対して発泡圧がかかるが、真空断熱材３０の厚さ方向の設置位置がスペーサ材２０Ａ、２０Ｂによってほぼ固定されているため、真空断熱材３０はずれたり傾いたりなど移動することはなく、設置されたときの状態が維持される。
【００７８】
こうして、基材１０の凹所１５内の発泡樹脂３１は発泡・膨張・硬化して発泡系断熱材３２となる（図６（ｃ）参照）。
【００７９】
以上のように、断熱パネル１の製造過程において、真空断熱材３０がスペーサ材２０Ａ、２０Ｂにより厚さ方向のほぼ中央で位置決めされるので、真空断熱材３０がずれたり傾いたりしていない断熱パネル１を製造することができる。
【００８０】
また、断熱パネル１の製造過程において真空断熱材３０が基材１０に直接接触しない構成であるため、製造過程において、内装される真空断熱材３０の表面の凹凸が基材１０の表面部１１に転写されることを防止できる。もちろん、製造後においても、真空断熱材３０の上下や周囲に発泡系断熱材３２が配されているため、真空断熱材３０の表面凹凸の基材１０への転写のおそれはない。したがって、このような断熱パネル１の構造は基材１０の軽量化、薄型化にも寄与することとなる。
【００８１】
さらに、スペーサ材２０Ａ、２０Ｂにより真空断熱材３０が中央の固定位置に位置決めできるため、真空断熱材３０の設置位置にずれや傾きのない、均一な断熱性を有した断熱パネルを成形することができる。
【００８２】
以上の３種の実施形態では、上下のスペーサ材２０Ｂ、２０Ａを同種のものとして例示したが、同種でなくてもよい。特に、上側のスペーサ材２０Ｂについては、その上方に発泡樹脂３１の流動の邪魔をするものがなく発泡樹脂３１が行き渡りやすいので、形状としては種々のものが用いられる。
【符号の説明】
【００８３】
１          断熱パネル
１０        基材
１１        表面部
１２        側部
１５        凹所
１５ａ      開口
１５ｂ      内底面
２０Ａ      （下側の）スペーサ材
２０Ｂ      （上側の）スペーサ材
２１        スペーサ片
２２        連通部
２５        ブロック空間（空間）
２６        空隙部位
３０        真空断熱材
３１        発泡樹脂
３２        発泡系断熱材
【図１】
2014134020.tif 000003
【図２】
2014134020.tif 000004
【図３】
2014134020.tif 000005
【図４】
2014134020.tif 000006
【図５】
2014134020.tif 000007
【図６】
2014134020.tif 000008